(57)【要約】【課題】内容物の品質低下を防止した、エアーバック防止機能付きチューブ容器。【解決手段】チューブ容器１の首部２内面に、半径方向に突出する膨出部３を形成して、口部５内径より小さな径の首部狭路４を形成することにより、口部５に内容物滞留部７を形成したことを特徴とするエアーバック防止機能付きチューブ容器。【選択図】  図１
2005053485.tif 000002
【特許請求の範囲】
【請求項１】
チューブ容器の首部内面に、半径方向に突出する膨出部を形成して、口部内径より小さな径の首部狭路を形成することにより、口部に内容物滞留部を形成したことを特徴とするエアーバック防止機能付きチューブ容器。
【発明の詳細な説明】
【０００１】
【発明の属する技術分野】
この発明は、エアーバック防止機能付きチューブ容器に関し、さらに詳しくは、エアーバックを効果的に防止でき、かつ製造コストが安価であるエアーバック防止機能付きチューブ容器に関する。
【０００２】
【従来の技術】
従来、ラミネートチューブ等のチューブ容器の胴部を指で圧搾して内容物を抽出する場合、内容物が押し出された後、チューブ容器の胴部の自己復元力によって、チューブ容器内が減圧になるため、内容物がチューブ容器の内部に引き戻されると同時に、外の空気がチューブ容器内に吸い込まれてしまう現象、所謂エアーバック現象が生じていた。そして、この現象を放置した場合、チューブ容器内の内容物によっては、吸い込まれた空気によって酸化され品質低下を引き起こす欠点があった。図６は従来のエアーバック現象を示す図面である。図６（Ｓ）は、チューブ容器５０内に充填された内容物５１が、胴部の圧搾により外部に吐出する状態を示す図面である。図６（Ｔ）は、チューブ容器５０の胴部の圧搾が解除された状態を示す図面であり、内容物５１がチューブ容器５０内に引き戻されると同時に、外の空気５３がチューブ容器５０内に吸い込まれている状態を示している。この場合、内容物５１がチューブ容器５０内に瞬時に引き戻され、かつ多量に外の空気５３がチューブ容器５０内に吸い込まれてしまうという問題があった。すなわち、使用者が内容物５１の使用後、キャップを口部５２に螺合するまでの短時間のうちに、多量に外の空気５３が、すでにチューブ容器５０内に吸い込まれてしまうという欠点があった。
【０００３】
そこで、従来は、このエアーバック現象を防止するために、図７に示すような逆流防止弁付きチューブ容器が開発された。この逆流防止弁付きチューブ容器６０は、口部６１に弁体６３を有する中栓体６２が嵌入されており、チューブ容器６０の胴部を指で圧搾して内容物を抽出した後、チューブ容器６０の胴部の自己復元力によって、チューブ容器６０内が減圧になると、弁体６３が弁孔６４に密接するため、チューブ容器６０内へ内容物の吸い込みと、外の空気のチューブ容器６０内へのエアーバックが防止されるというものである。
【０００４】
【発明が解決しようとする課題】
しかしながら、このような逆流防止弁付きチューブ容器６０にあっては、チューブ容器６０の口部６１内に、弁体６３を有する中栓体６２を別途設ける必要があり、部品点数及び製造工程が多くなると共に、製造コストが高くなるという欠点がある。
【０００５】
この発明は、このような従来の課題に着目してなされたもので、内容物の吐出後、キャップを閉めるまでの短時間に生じるエアーバックを効果的に防止することにより、内容物の酸化劣化等の品質低下を防止でき、かつ部品点数が少なく、製造コストが安価であるエアーバック防止機能付きチューブ容器を提供することを目的とする。
【０００６】
【課題を解決するための手段】
この課題を解決するため、この発明は、チューブ容器の首部内面に、半径方向に突出する膨出部を形成して、口部内径より小さな径の首部狭路を形成することにより、口部に内容物滞留部を形成したことを特徴とするエアーバック防止機能付きチューブ容器である。
特開２００２−３０９７１５号
【０００７】
【発明の実施の形態】
次に、この発明の実施の形態を図面に基づいて説明する。図１は、本発明に係るエアーバック防止機能付きチューブ容器の第１実施の形態である。１はラミネート等のチューブ容器であり、チュブ容器１の首部２内面には、半径方向に突出する膨出部３が形成されている。首部２には、この突出する膨出部３により首部狭路４が形成されている。又口部５の外周には雄ねじ６が形成され、この口部５と首部２の膨出部３との間で、内容物滞留部７が形成されている。すなわち首部狭路４の内径は、内容物滞留部７の内径より小さいのが本発明の特徴であり、発明者は、内容物のチューブ容器１内への引き戻し時間をできる限り遅くすると共に、外の空気のチューブ容器１内への吸い込みを阻止することで、空気がチューブ容器内に入る前に、キャップ９を口部５へ螺合可能にすることを見出したのである。しかし、首部狭路４の内径を小さくすることは、内容物８の引き戻し時間を遅くできるが、逆に内容物が出し難くくなるという欠点がある。そこで、内容物８の引き戻し時間を遅くでき、かつ内容物８が出し易いという機能を併せ持つような首部狭路４の内径を決定することが必要となる。したがって、この首部狭路４の内径は、内容物の粘土、性質によって異なることはいうまでもない。なお、本発明は、ラミネートチューブ容器の他、単層、多層のブロー成形のチューブ容器にも適用でき、又この首部２に膨出部３を形成する方法は、すべて金型で一体成形で行うことができる。
【０００８】
図２は、本発明に係るエアーバック防止機能付きチューブ容器の第２実施の形態である。
第１実施の形態と異なる構成は、首部１２の膨出部１３に形成される首部狭路１４の内径が、第１実施の形態の首部狭路４の内径より小さい点にある。また、膨出部１３に引けが生じるのを防止するため、複数のリブ１３ａが形成されている。図３は、本発明に係るエアーバック防止機能付きチューブ容器の第３実施の形態である。第３実施の形態の特徴は、膨出部２３の断面形状が、上下に大きなアール部を有している点である。内容物が引き戻される場合、内容物滞留部２７から首部狭路２４を通過して、チューブ容器２１内に戻る時間が若干短縮される可能性があるが、首部狭路２４の内径をより狭くすることで対応できる。図４は、本発明に係るエアーバック防止機能付きチューブ容器の第４実施の形態である。第４実施の形態の特徴は、膨出部３３の内周面に、断面形状が波形状の凹凸部３３ａが形成されている点にある。首部狭路３４の内径が若干大きくても、内容物が引き込まれる際に、この凹凸部３３ａの抵抗により、内容物の引き込まれる時間を遅くすることができる。
【０００９】
次に、この発明の作用について説明する。
図５は、内容物が吐出した後、チューブ容器の圧搾を止め、減圧化により再び内容物がチューブ容器内に引き戻されると共に、外の空気がチューブ容器内に吸引される状態を示した図面である。図５（ａ）は、チューブ容器１の胴部が、指で圧搾されることにより、チューブ容器１内の内容物８が、口部５から外へ吐出している状態を示す断面図である。図５（ｂ）は、チューブ容器１の胴部の圧搾が解除された場合を示す断面図である。内容物８が、チューブ容器１の若干の減圧による吸引力により、引き戻されている状態を示す。図５（ｃ）は、胴部の圧搾を止めてから、少し時間が経過した状態を示す断面図である。この場合、内容物滞留部７内にまだ大部分の内容物８が残留している。図５（ｄ）は、さらに時間が経過した状態を示す断面図である。内容物８が内容物滞留部７内に内容物が残留しているが、その量はかなり減っている。そして、図５（ａ）の状態から、図５（ｄ）の状態になるまで、約３分程度になるように、内容物の粘度によって首部狭路４の内径を調整することにより、効果的にエアーバックを防止することができる。そして、内容物８の酸化等の品質低下を完全に防止することができる。内容物８は、約３分経過後経時的にチューブ容器１の胴部内まで引き戻され、同時に胴部内に空気が流入する。
【００１０】
この発明は、内容物８が内容物滞留部７から首部狭路４を通過する際に生じる抵抗のため、内容物８のチューブ容器１内への戻りが著しく遅くなる。粘土の高い内容物８であれば、３分間内容物８が内容物滞留部７に滞留することを目安に、首部狭路４の内径を若干広く調整することで、内容物８が胴部内へ戻らず、かつ空気も胴部内まで入らない。また通常の粘度又は低い粘度の内容物８であれば、首部狭路４を若干又は大幅に狭くすることで、内容物８が胴部内へ戻らず、かつ空気も胴部内まで入らないようにすることができる。したがって、この発明によれば、内容物８の吐出後、普通にキャップを螺合するまでの少なくとも約２〜３分間は、内容物８が内容物滞留部７から下方に下降しないので、胴部内にエアーバックが生じない。このように、この発明は内容物８の粘度、性質に応じて、首部狭路４の内径を調整することで、効果的にエアーバックを防止することができた。
【００１１】
次に、この発明の具体的試験結果を次ぎに示す。
ラミネートチューブ容器について、首部狭路の内径別にサンプルを製作し、内容物としてゲル状の内容物と軟膏状の内容物を各々充填し、一定量の内容物を吐出後、口を上に向けてエアーバック状態を一定時間観察し、かつ内容物の出し易さも観察した。そして、内容物毎に最適な首部狭路の内径を決定した。また、従来のラミネートチューブ容器（首部に首部狭路が形成されていない通常のサンプル）に、同様にゲル状の内容物と軟膏状の内容物を、各々充填しそのエアーバック状態を観察した。
＜試験条件＞
▲１▼ラミネートチューブ容器の胴部外径；２７φ
▲２▼ラミネートチューブ容器の口内径；６φ
▲３▼ラミネートチューブ容器の全丈；１５５ｍｍ
▲４▼最初に１グラムの内容物を吐出する。
▲５▼その後、口部を上に向けて放置し、チューブ容器の胴部に空気が入るまでの時間３分間観察する。
＜試験結果１＞
・ゲル状の内容物を充填した場合の試験結果
【表１】
2005053485.tif 000003
＜評価１＞
（内容物の出し易さ）
○；片手で吐出が楽にでき、チューブ容器の使用感が良好であった。
△；片手で吐出する際に若干の力を必要とし、チューブ容器の使用感が普通であった。
×；片手で吐出し難く、チューブ容器の使用感が悪かった。
（エアーバック効果）
○；胴部に３分以上エアーバックしなかった。
×；胴部に３分以内にエアーバックした。
首部狭路の内径が１φでは、エアーバックがなく良好であるが、内容物の出し易さが悪かった。また、首部狭路の内径が２．５φでは、内容物の出し易さが良好であるが、２６℃で２０秒後に胴部までエアーバックした。首部狭路の内径が２φで、内容物の出し易さ及びエアーバック共に良好であった。
＜試験結果２＞
・軟膏状の内容物を充填した場合の試験結果
【表２】
2005053485.tif 000004
（評価２）
（内容物の出し易さ）
○；片手で吐出が楽にでき、チューブ容器の使用感が良好であった。
△；片手で吐出する際に若干の力を必要とし、チューブ容器の使用感が普通であった。
×；片手で吐出し難く、チューブ容器の使用感が悪かった。
（エアーバック効果）
○；胴部に３分以上エアーバックしなかった。
×；胴部に３分以内にエアーバックした。
首部狭路の内径が２φでは、エアーバックがなく良好であるが、内容物の出し易さが悪かった。また、首部狭路の内径が２．５φでは、エアーバックがなく良好であるが、５℃における内容物の出し易さが悪かった。首部狭路の内径が３φでは、内容物の出し易さ及びエアーバック共に良好であり、特に４φでは、内容物の出し易さ及びエアーバック共に
最高に良好であった。
【００１２】
【発明の効果】
以上説明してきたように、この発明によれば、内容物の吐出後、キャップを閉めるまでの間、エアーバックを効果的に防止できると共に、内容物の品質低下を防止できる効果を有する。又部品点数及び製造工程数が少なく、かつ製造コストが頗る安価であるという効果を有する。
【図面の簡単な説明】
【図１】この発明に係るエアーバック防止機能付きチューブ容器の第１の実施形態を示す断面図。
【図２】この発明に係るエアーバック防止機能付きチューブ容器の第２の実施形態を示す断面図。
【図３】この発明に係るエアーバック防止機能付きチューブ容器の第３の実施形態を示す断面図。
【図４】この発明に係るエアーバック防止機能付きチューブ容器の第４の実施形態を示す断面図。
【図５】この発明に係るエアーバック防止機能付きチューブ容器の経時的なエアーバックの状態を示す断面図（ａ）（ｂ）（ｃ）（ｄ）。
【図６】従来のラミネートチューブ容器の経時的なエアーバックの状態を示す断面図（Ｓ）（Ｔ）。
【図７】従来のチューブ容器の口部に、弁体を有する中栓体が嵌入されたチューブ容器を示す断面図。
【符号の説明】
１  １１  ２１  ３１  チューブ容器
２  １２  ２２  ３２  首部
３  １３  ２３  ３３  膨出部
４  １４  ２４  ３４  首部狭路
５  １５  ２５  ３５  口部
７  １７  ２７  ３７  内容物滞留部
【図１】
2005053485.tif 000005
【図２】
2005053485.tif 000006
【図３】
2005053485.tif 000007
【図４】
2005053485.tif 000008
【図５】
2005053485.tif 000009
【図６】
2005053485.tif 000010
【図７】
2005053485.tif 000011